(57)【要約】【課題】  ロック装置本体をフレームの内面に簡便かつ正確に取り付けられるようにするとともに、被掛止部材をウィングの内面に簡便かつ正確に取り付けられるようにする。【解決手段】  本発明の取付ゲージ２０は、フレーム２の開口縁Ｅに当接する当接部２９と、フレーム２の内面Ｓ１に取り付けられるロック装置本体３を当接部２９から当該フレーム２の奥行き方向所定深さ位置Ｐにおいて支持する支持部２１と、を備えている。そして、この取付ゲージ２０の支持部２１にロック装置本体３を装着した後、同取付ゲージ２０の当接部２９をフレーム２の開口縁Ｅに当接させた状態でロック装置本体３をフレーム２の内面に固定する。【選択図】      図１
2006052642.tif 000002
【特許請求の範囲】
【請求項１】
フレーム（２）の開口縁（Ｅ）に当接する当接部（２９）と、前記フレーム（２）の内面（Ｓ１）に取り付けられるロック装置本体（３）を前記当接部（２９）から当該フレーム（２）の奥行き方向所定深さ位置（Ｐ）において支持する支持部（２１）と、を備えている地震時ロック装置の取付ゲージ。
【請求項２】
請求項１に記載の取付ゲージ（２０）の支持部（２１）にロック装置本体（３）を装着した後、同取付ゲージ（２０）の当接部（２９）をフレーム（２）の開口縁（Ｅ）に当接させた状態で前記ロック装置本体（３）を前記フレーム（２）の内面（Ｓ１）に固定する地震時ロック装置の取付方法。
【請求項３】
請求項２に記載の取付方法によってロック装置本体（３）をフレーム（２）に取り付けた後、ウィング（４）をそのフレーム（２）に枢着するようにした地震時ロック装置を有する家具の製造方法。
【請求項４】
既にウィング（４）が枢着されているフレーム（２）に請求項２に記載の取付方法によってロック装置本体（３）を取り付けるようにした地震時ロック装置を有する家具の製造方法。
【請求項５】
フレーム（２）の内面（Ｓ１）又は外面に当接する当接部（２４）と、この当接部（２４）に垂直に交差する縦長部材（２２）と、この縦長部材（２２）に設けられかつ前記フレーム（２）に枢着されたウィング（４）に取り付けられる被掛止部材（５）の所定高さ位置（Ｑ）の基準となる目印部（３０）と、を備えている地震時ロック装置の取付ゲージ。
【請求項６】
請求項５に記載の取付ゲージ（２０）の当接部（２４）をフレーム（２）の内面（Ｓ１）又は外面に当接させた状態で、ウィング（４）を前記取付ゲージ（２０）の目印部（３０）に当接するまで閉鎖方向に回動させて同ウィング（４）の内面に被掛止部材（５）の取付高さの基準となる目印（３１）を取り、この目印（３１）の高さ位置又はその位置から所定高さだけ離れた位置に前記被掛止部材（５）を固定する地震時ロック装置の取付方法。
【請求項７】
既にフレーム（２）に枢着されているウィング（４）に請求項６に記載の取付方法によって被掛止部材（５）を取り付けるようにした地震時ロック装置を有する家具の製造方法。
【発明の詳細な説明】
【技術分野】
【０００１】  本発明は、地震時ロック装置の取付ゲージと同装置の取付方法並びに同装置を有する家具の製造方法に関する。
【背景技術】
【０００２】  例えば、食器棚、本棚、タンス、化粧ケース、天袋等の家具に代表されるウィング付きの収納ボックスでは、前面が開放されたボックス本体の開口部に扉（ウィング）が観音開き状に枢着されている。
上記家具に代表されるウィング付きの収納ボックスでは、収納物品の出し入れを頻繁に行うため、一般に施錠装置を設ける場合が少なく、また、施錠装置を設けたとしてもユーザーがこれを余り利用しないことが多い。【０００３】  このため、先の阪神大震災の経験からも判るように、大震度の地震等のため収納ボックスが大きく揺らされると、その揺れによって閉鎖されている扉が開いて食器等の収納物品が外に飛び出し、これによって収納物品が破損したり居住者に当たって負傷することがある。【０００４】  そこで、本願出願人は、地震の揺れを検出して突出するロック部材を有するロック装置本体をフレームの内面に取り付け、かつ、ロック部材に掛止される被掛止部材をフレームに枢着されたウィングの内面に取り付けてなる地震時ロック装置を既に出願している（特願平８−３３６０６７号、特願平８−２８２６５４号、特願平７−３３５３２３号、特願平７−１３４３７６号参照）。
【発明の開示】
【発明が解決しようとする課題】
【０００５】  上記地震時ロック装置が有効に作動するには、地震の揺れを検出して突出したロック部材がウィング側の被掛止部材を適切に掛止せねばならない。
従って、ロック装置本体は被掛止部材のウィングからの突出長さに対応してフレームの奥行き方向の適切な深さ位置に取り付けられ、かつ、被掛止部材はロック部材の突出位置（ロック位置）に対応して適切な高さ位置に取り付けられる必要がある。【０００６】  そこで、従来では、ロック装置本体については、フレームの開口縁から所定の奥行き寸法を定規で測定してその取付位置に筆記具等で印を付け、この印に合わせてロック装置本体を取り付けるようにしている。
他方、被掛止部材については、ウィングの上端縁から所定の高さ寸法を定規で測定してその取付位置に筆記具等で印を付け、この印に合わせて被掛止部材を取り付けるようにしている。【０００７】  しかるに、上記従来のロック装置本体の取付方法では、フレームの天板内面に定規を沿わせて同内面に印を付ける作業が面倒でその印がずれることが多く、このため、ロック部材が被掛止部材を掛止するための適切な奥行き位置にロック装置本体を取り付けられないことがある。
他方、上記従来の被掛止部材の取付方法では、ウィングの上端縁を基準に被掛止部材の取付高さを測定しているため、蝶番の取付誤差やがたつき等によってウィングのフレームに対する取付高さが当初からずれている場合には、被掛止部材がロック部材に掛止されるための適切な高さ位置に同被掛止部材を取り付けられないことがある。【０００８】  そこで、本発明は、ロック装置本体をフレームの内面に簡便かつ正確に取り付けられるようにするとともに、被掛止部材をウィングの内面に簡便かつ正確に取り付けられるようにすることを目的とする。
【課題を解決するための手段】
【０００９】  上記目的を達成するために、本発明は次のような技術的手段を講じた。
すなわち、本発明に係る地震時ロック装置の取付ゲージは、フレームの開口縁に当接する当接部と、前記フレームの内面に取り付けられるロック装置本体を前記当接部から当該フレームの奥行き方向所定深さ位置において支持する支持部と、を備えたものである（第一の取付ゲージ）。【００１０】  この場合、上記取付ゲージの支持部にロック装置本体を装着した後、同取付ゲージの当接部をフレームの開口縁に当接させた状態でロック装置本体をフレームの内面に直接固定するようにすれば、わざわざフレームの内面に筆記具等で印を付けなくても、ロック装置本体を所定の奥行き位置に正確に取り付けることができる。【００１１】  上記ロック装置本体はフレームの内面に固定されるものであり、しかも、上記第一の取付ゲージによる取付方法（第一の取付方法）ではフレームの開口縁を基準にしてロック装置本体の奥行き位置を規定しているので、当該取付方法はフレームにウィングが枢着されているか否かに拘らず採用することができる。【００１２】  すなわち、地震時ロック装置を有する家具の製造工程において、第一の取付方法によってロック装置本体をフレームに取り付けてから、ウィングをそのフレームに枢着するようにしてもよく、逆に、既にウィングが枢着されているフレームに第一の取付方法によってロック装置本体を取り付けるようにしてもよい。
また、第一の取付方法は、当該ロック装置本体を既設の家具に後付けする場合にも採用することができる。【００１３】  本発明の地震時ロック装置の取付ゲージは、フレームの内面又は外面に当接する当接部と、この当接部に垂直に交差する縦長部材と、この縦長部材に設けられかつ前記フレームに枢着されたウィングに取り付けられる被掛止部材の所定高さ位置の基準となる目印部と、を備えたものである（第二の取付ゲージ）。【００１４】  この場合、上記取付ゲージの当接部をフレームの内面又は外面に当接させた状態で、ウィングを取付ゲージの目印部に当接するまで閉鎖方向に回動させて同ウィングの内面に被掛止部材の取付高さの基準となる目印を取ることにより、ウィングの上端縁を基準とせずに被掛止部材の取付高さを導出することができる。
その後は、この目印と同じ高さ位置又はその位置から所定高さだけ離れた位置に被掛止部材を固定すればよい。【００１５】  従って、蝶番の取付誤差やがたつき等によってウィングのフレームに対する取付高さが当初からずれていても、ロック部材が被掛止部材に掛止しうる適切な高さに被掛止部材を簡単に取り付けることができる。【００１６】  上記被掛止部材はウィングの内面に固定されるものであり、しかも、上記第二の取付ゲージによる取付方法（第二の取付方法）ではフレームの内面又は外面を基準にして被掛止部材の高さ位置を規定しているので、当該取付方法はフレームにウィングが枢着されている場合に限り採用することができる。【００１７】  すなわち、地震時ロック装置を有する家具の製造工程において、既にウィングが枢着されているフレームに第二の取付方法によって被掛止部材を取り付けるようにすればよい。
また、第二の取付方法は、当該被掛止部材を既設の家具に後付けする場合にも採用することができる。
【発明を実施するための最良の形態】
【００１８】  以下、本発明の実施の形態を図面に基づき説明する。
図１〜図４は本発明の第一の実施形態を示している。
図１に示すように、本実施形態の地震時ロック装置１は、タンス、食器ケース、化粧ケース、キッチンの天袋その他の回動式の扉を有する家具に使用されるものであり、その家具を構成するボックス本体（フレーム）２の開口部の内面Ｓ１に取り付けられるロック装置本体３と、そのボックス本体２の開口部に開閉自在に枢着された開閉扉（ウィング）４の内面Ｓ２に取り付けられる被掛止部材５と、を備えている。【００１９】  このうち、ロック装置本体１は、本願出願人が既に出願している特願平７−３３５３２３号、特願平７−１３４３７６号及び特願平８−２８２６５４号と基本的原理が同じものである。
すなわち、このロック装置本体１は、ボックス本体２の天板６の下面（内面Ｓ１）に固定される合成樹脂製のケーシング７と、このケーシング７内に出退自在に挿通された合成樹脂製のラッチボルトよりなるロック部材８と、このロック部材８を常時上方へ付勢する第一コイルバネ９と、ロック部材８を予めケーシング７内に保持しておく金属板製の保持部材１０と、この保持部材１０を常時ロック部材８側へ付勢する第二コイルバネ１１と、地震によるボックス本体２の揺れに伴って移動して保持部材１０をロック部材８から解除する金属製のボールよりなる慣性部材１２と、を備えている。【００２０】  ロック部材８は、その上端部だけがケーシング７の上面から突出するよう同ケーシング７の前端部（図１の右端部）に上下方向に出退自在に挿通されている。第一コイルバネ９は、ロック部材８の下部に当接するようケーシング７内に収納され、同ロック部材８を常時上方へ付勢している。なお、ロック部材８は上方突出したときのケーシング７に対する抜け止め部材（図示せず）を一体に備えている。【００２１】  保持部材１０は、側面視コ字枠状に形成された金属板材よりなり、ケーシング７内に前後方向（図１の左右方向）移動自在に収納されている。保持部材１０は、その後方側に配置された第二コイルバネ１１によってロック部材８側に付勢されており、その前端に形成された掛止爪によって同ロック部材８の側面を掛止する。また、慣性部材１２は、ケーシング７内における保持部材１０の枠内に位置するように配置されている。【００２２】  従って、地震その他の振動によりボックス本体２が揺れると、慣性部材１２が前後に転がって保持部材１０に衝突し、この衝突で保持部材１０のロック部材８に対する掛止状態が解除され、ロック部材８が第一コイルバネ９により上方のロック位置に突出するようになっている。
ケーシング７の後端部にはほぼ直方体状の取付台座部１３が一体に突設され、この取付台座部１３を天板６の下面Ｓ１に当接させて、同台座部１３に形成したねじ孔１３Ａに下方から挿通した取付ねじ１４を天板６側へねじ込むことにより、ケーシング７が天板６に固定される。従って、ケーシング７を天板６に固定した状態では、取付台座部１３よりも前方の部分において、ケーシング７と天板６との間に被掛止部材５の挿通空間１５が形成される。【００２３】  被掛止部材５は取付板部１６と突出板部１７とから側面視ほぼＬ字状に屈曲形成され、突出板部１７はその後端を下方に屈曲してなる爪部１８を備えている。被掛止部材５は、その取付板部１６を開閉扉４の内面Ｓ２に取付ねじ１９でねじ止めすることにより、突出板部１７が開閉扉４の内面Ｓ２から前記挿通空間１５に向かって後方へ突出するように取り付けられる。【００２４】  すなわち、被掛止部材５の取付位置は、開閉扉５の閉鎖状態において突出板部１７がロック部材８の上下出退位置と重なる平面位置となり、かつ、前記挿通空間１５に丁度入り込む高さ位置とされている。
上記地震時ロック装置１によれば、地震等のない通常時はロック部材８はケーシング７内に没入していてアンロック位置に保持されているので、被掛止部材５は挿通空間１５を自由に行き来でき、このため開閉扉４は自由に開閉できる。
他方、地震の発生によりロック部材８が上方へ突出してロック位置になると、同ロック部材８の突出端部が被掛止部材５の爪部１８を掛止して、開閉扉４の開放が阻止され、これによってボックス本体２内の物品が外に飛び出るのが未然に防止される。【００２５】  次に、上記地震時ロック装置１を構成するロック装置本体３及び被掛止部材５をそれぞれ適切な位置に取り付けるための取付ゲージ２０について説明する。
図１〜図３に示すように、本実施形態の取付ゲージ２０は、一端が開放されかつ他端が閉塞されたプラスチック製の中空部材よりなり、前記ケーシング７を外嵌して支持する横長筒状の支持部材（支持部）２１と、この支持部材２１の前端開口部を閉鎖するように固定された板状の縦長部材２２と、を備えている。【００２６】  このうち、支持部材２１は、ケーシング７の外周断面にほぼ適合する内周断面を有する筒材よりなり、ケーシング７を摺動自在に受け入れるための挿通開口部２３を一端側に有する（図２参照）。この支持部材２１は、上壁部２４と左右一対の側壁部２５と下壁部２６とから一体に形成されており、下壁部２６は、ケーシング７の下面の湾曲形状に適合するように湾曲されている。【００２７】  また、側壁部２５は、ケーシング７の側面の平面形状に適合するように平板状に形成され、同側壁部２５の内面側でかつ上下方向中央部には、ケーシング７の左右両コーナー部に適合した段差形状の断面を有する案内レール２７が前後方向に延びて一体に形成されている。
従って、図２に示すように、ロック装置本体３をそのロック部材８側から挿通開口部２３に向かって挿通すると、ケーシング７が支持部材２１に対して前後スライド自在に嵌合し、ケーシング７が支持部材２１に対して上下かつ左右に移動できないように支持されるようになっている。【００２８】  また、支持部材２１の上壁部２４は上面が平らな平板状に形成されており、この上板部２４の上面は、ケーシング７を支持部材２１に挿通した場合における同ケーシング７の取付台座部１３の取付面と同じ高さになる。従って、ケーシング７は取付台座部１３が上壁部２４及び案内レール２７の後縁部に当たるまで支持部材２１に対してスライドさせることができ、このとき、取付台座部１３の取付面は上壁部２４の上面に対して面一になる（図１（ａ）参照）。【００２９】  前記縦長部材２２は、支持部材２１の他端開口部をすべて閉鎖する大きさの板状に形成されているとともに、この支持部材２１の前記上壁部２４の上面から上方に張り出した張出部２８を備えている。この張出部２８の裏面側にはゴム製の当接板２９が張り付けられており、この当接板２９はボックス本体２の開口縁Ｅに当接する第一当接部として機能する。【００３０】  そして、図１（ａ）に示すように、ケーシング７を支持部材２１に対して最も奥まで嵌め込んだ場合における当接板２９の裏面から前記ねじ孔１３Ａまでの水平距離Ｌは、ロック部材８が被掛止部材５を適切に掛止するためのケーシング７の取付ねじ１４の打ち込み位置をＰとしたとき、この打ち込み位置Ｐからボックス本体２の開口縁Ｅまでの奥行き深さに相当する長さに設定されている。【００３１】  従って、ケーシング７が最も奥まで嵌め込まれた取付ゲージ２０をその当接板２９が天板６の縁面（ボックス本体２の開口縁Ｅ）に当接するようボックス本体２の開口部に押し当てると、ケーシング７のねじ孔１３Ａが被掛止部材５の突出長さに対応した適切な奥行き位置Ｐに自動的に位置決めされることになる。
図３に示すように、縦長部材２２の中央部には左右一対の鋼製の目印ピン（目印部）３０が打ち込まれている。この目印ピン３０は、縦長部材２２の表面から突出する円錐状の頭部を備え、後述のように開閉扉４を当該ピン３０の頭部に押し付けることにより、同開閉扉４の内面Ｓ２にノッチ（目印）３１を形成できるようになっている。【００３２】  この左右一対の目印ピン３０は、被掛止部材５の取付ねじ１９の高さ位置Ｑに対応する位置に設けられている。すなわち、図１（ａ）に示すように、上壁部２４の上面から目印ピン３０までの垂直距離Ｈは、被掛止部材５がロック部材８に適切に掛止されるためのケーシング７の取付ねじ１４の高さ位置をＱとしたとき、この高さ位置Ｑから天板６の下面Ｓ１までの高さ寸法に相当する長さに設定されている。【００３３】  従って、上壁部２４の上面が天板６の下面Ｓ１に当接するように支持部材２１をセットすると、目印ピン３０の頭部先端が被掛止部材５の取付ねじ１９の打ち込み高さ位置Ｑそのものを指し示すことになる。なお、この場合、当該取付ゲージ２０の上壁部２４は、ボックス本体２の内面Ｓ１に当接する第二当接部として機能する。【００３４】  次に、上記取付ゲージ２０を用いた地震時ロック装置１の取付方法について説明する。
まず、図２に示すように、ロック装置本体３を取付ゲージ２０の挿通開口部２３に嵌め込み、取付台座部１３が上壁部２４及び案内レール２７に当接するまで同本体３を取付ゲージ２０の支持部材２１の奥へスライドさせてセットする。【００３５】  その後、図１（ａ）に示すように、当接板２９が天板６の開口縁Ｅに当接しかつ上壁部２４が同天板６の下面に当接するように取付ゲージ２０をボックス本体２に押し当てるようにする。
この場合、当接板２９が天板６の開口縁Ｅに当接している限り既にねじ孔１３Ａが適切な奥行き位置Ｐにセットされているので、この当接状態を保つようにして取付ゲージ２０を保持しながら、ケーシング７のねじ孔１３Ａに取付ねじ１４を挿通して天板６にねじ込めば、当該ロック装置本体３を所定の奥行き位置Ｐに正確に取り付けることができる。【００３６】  次に、上記のように取付ゲージ２０を天板６の下面Ｓ１に押し当てた状態を維持したまま、開閉扉４を閉鎖方向に回動させて取付ゲージ２０の目印ピン３０に押し付け、開閉扉４の内面Ｓ２に被掛止部材５の取付高さの基準となるノッチ３１を形成する。
そして、本実施形態では、目印ピン３０の頭部先端が被掛止部材５の取付ねじ１９の打ち込み高さ位置Ｑそのものを指し示しているから、上記のようにして形成されたノッチ３１に被掛止部材５のねじ孔（図示せず）を直接位置合わせしたあと、そのノッチ３１に向かって取付ねじ１９を打ち込めばよい。【００３７】  このように、本実施形態に係る取付ゲージ２０によれば、ロック装置本体３の奥行き位置Ｐを決定する奥行きゲージ機能と、被掛止部材５の高さ位置Ｑを決定する高さゲージ機能を併せ持っているので、一つの取付ゲージ２０だけで、ロック装置本体３と被掛止部材５の双方の取り付け作業を極めて簡便かつ正確に行える。【００３８】  また、この場合、ロック装置本体３の固定が完了したあと、取付ゲージ２０を同本体３に装着したまま目印ピン３０でノッチ３１を形成すれば、そのノッチ３１は被掛止部材５の高さ位置Ｑだけでなく適切な平面位置（開閉扉４の左右方向位置）も指し示していることになる。
このように、本実施形態によれば、目印ピン３０により被掛止部材５の正確な高さ位置Ｑと平面位置を同時に決定できるので、被掛止部材５の位置決め作業が極めて簡便になる。【００３９】  図４は、上記ロック装置本体３の取付構造の変形例を示している。
この場合、天板６の開口縁部に戸当たり桟３３が形成されているため、ケーシング７の取付台座部１３を天板６に直接ねじ止めすることはできない。
そこで、この変形例では、前後方向に長い鋼板製の取付プレート３４の後端部に取付台座部１３を前記取付ねじ１４を介して固定し、この取付プレート３４の前端部を戸当たり桟３３の下面にねじ止めすることにより、ロック装置本体３を天板６側に取り付けるようにしている。【００４０】  なお、取付ゲージ２０の側壁部２５には、戸当たり桟３３に螺合する取付ねじ３３Ａをねじ込むためのドライバーが同側壁部２５と干渉しないよう、逃げ溝２５Ａが形成されている（図２及び図３参照）。【００４１】  そして、かかる取付プレート３４を介在させてロック装置本体３を固定する場合においても、上記実施形態と同じ取付ゲージ２０を用いた地震時ロック装置１の取付方法を採用できる。すなわち、戸当たり桟３３の前面をボックス本体２の開口縁Ｅとしてここに取付ゲージ２０の当接板２９を当接すれば、ロック装置本体３を適切な奥行き位置に位置決めできる。【００４２】  また、戸当たり桟３３の下面をボックス本体２の内面Ｓ１としてこの取付ゲージ２０の上壁部２４を当接すれば、目印ピン３０は適切な被掛止部材５の高さ位置Ｑを指向することになる。
図５は、本発明の第二の実施形態を示している。
この実施形態では、第一実施形態の場合よりも構造が単純な地震時ロック装置１が採用されている。【００４３】  すなわち、ロック部材８はケーシング７の前部に横軸３６を介して上下揺動自在に枢着された掛止アーム３７よりなり、この掛止アーム３７は前端に被掛止部材５への掛止爪３８を備え、かつ、後端にボールよりなる慣性部材１２の衝突部３９を有する。
慣性部材１２はケーシング７の内部に転動自在に設けられ、地震の揺れに伴って開閉扉４側に移動して衝突部３９に衝突し、掛止アーム３７を上方へ揺動させて同アーム３７をロック位置にする。【００４４】  図６は、本発明の第三の実施形態を示している。
この実施形態では、第二実施形態の場合よりも更に構造が単純な地震時ロック装置１が採用されている。
すなわち、この場合の地震時ロック装置１は、ケーシング７の底面が凹湾曲面４１とされており、ロック部材８は鋼製のボール４２よりなる。被掛止部材５は、内部に係合孔４３が形成された幅広の板材よりなり、ケーシング７の前部に形成したスリット４４に挿脱自在となるように開閉扉４にねじ止めされる。【００４５】  ボール４２よりなるロック部材８は、常時は凹湾曲面４１の中央部に位置して被掛止部材５の移動を許容するが、同ロック部材８が地震の揺れによって凹湾曲面４１の外周の高台部分４５に乗り上げると、被掛止部材５の係合孔４３に入り込んで同部材５の開放方向への移動を規制する。
これら図５及び図６の地震時ロック装置１は、ロック装置本体３の内部機構や被掛止部材５の形状が異なるだけであって、それらがいずれも適切な奥行き位置Ｐ及び高さ位置Ｑに取り付けられねばならない点においては、第一実施形態の地震時ロック装置１と同様である。【００４６】  従って、本発明の取付ゲージ２０及びそれによる取付方法はこれらの地震時ロック装置１にも同様に使用できることは明らかであるから、図５及び図６に第一実施形態の場合と同様の符号を付して、取付ゲージ２０の構造及び機能の説明は省略する。
なお、上記第一〜第三の実施形態において、取付ゲージ２０は、奥行きゲージ機能だけを有するもの又は高さゲージ機能だけを有するものに変更することができる。また、目印ピン３０の代わりに、その高さ位置に筆記具を着脱自在に取り付けられるようにして、この筆記具を目印部とすることができる。【００４７】  更に、支持部材２１は、ケーシング７を着脱自在に支持できる機能を有すれば足り、例えば枠状の部材等のような筒状以外の部材によっても構成できる。同様に、第一当接部及び第二当接部は、当接板２９や上壁部２４のような平板状のものに限定されるものではない。なお、図５及び図６に示すように、取付ゲージ２０の張出部２８にゴム板を設けない場合は、当該張出部２８の裏面によって直接に第一当接部２９が構成されることになる。【００４８】  更に、ボックス本体２の開口縁面にシールゴムが張り付けられている場合は、このシールゴムが、第一当接部２９が当接されるボックス本体２の開口縁Ｅを構成する。
また、被掛止部材５の高さ決定の基準となる面としては、ボックス本体２の内面Ｓ１だけでなく、同本体２の外面（すなわち、天板６の上面）を利用することもできる。もっとも、天袋の場合には、天板６の上面が外部に露出していないので、天板６の下面Ｓ１を利用せさるを得ない。【００４９】  図７は、本発明の第四の実施形態を示している。
この場合の地震時ロック装置１は、ケーシング７の底面が後ろ傾斜状の傾斜面４７とされ、この傾斜面４７上に下方鉤状のロック部材８が載置されている。ケーシング７の前下部にはロック部材８の鉤部４８を下方へ突出させるための開口孔４９が形成されている。【００５０】  しかして、地震等によりボックス本体２が振動すると、ロック部材８の鉤部４８が開口孔４９から下方に飛び出し、これによって被掛止部材５に形成された係合凹部５０に入り込んで同部材５をロックし、開閉扉４の開放を阻止する。
本実施形態の地震時ロック装置１においても、第一〜第三実施形態の場合と同様の取付ゲージ２０を採用できる。【００５１】  しかるに、この第四の実施形態では、第一〜第三実施形態の場合と異なり、取付ゲージ２０として従前の差し金５１が採用され、この差し金５１を用いて被掛止部材５をだけを簡単かつ正確に取り付けるようにしている。
すなわち、本実施形態では、差し金５１の一方の定規辺５２を天板６の下面Ｓ１に当接させ、この定規辺５２に直交する他方の定規辺５３に開閉扉４を当接させて、被掛止部材５の適切な高さ位置Ｑを示す当該定規辺５３の目盛りのところに筆記具で目印３１Ａをとり、この目印３１Ａに合わせて被掛止部材５を固定するようにしている。【００５２】  この場合においても、一方の定規辺５２が天板６の下面Ｓ１に当接しており、同下面Ｓ１を基準にして被掛止部材５の高さ位置Ｑを決定するようにしているので、開閉扉４に取付誤差があっても被掛止部材２０を適切な高さ位置Ｑに取り付けることができる。
なお、この場合、差し金５１の角部を利用して天板６の下面Ｓ１と同レベルのところに目印３１Ｂをとり、この目印３１Ｂから一定寸法だけ下がった所に更に目印３１Ａを付けて被掛止部材５の適切な高さ位置Ｑとすることもできる。
【発明の効果】
【００５３】  本発明によれば、ロック装置本体をフレームの内面に簡便かつ正確に取り付けることができる。また、被掛止部材をウィングの内面に簡便かつ正確に取り付けることができる。
【図面の簡単な説明】
【００５４】
【図１】  （ａ）は第一の実施形態に係る取付ゲージの使用状態を示す側面断面図であり、（ｂ）は取付後の地震時ロック装置の側面図である。
【図２】  地震時ロック装置の取付ゲージへの装着状態を示す斜視図である。
【図３】  図２の取付ゲージを反対側から見た場合の斜視図である。
【図４】  取付ゲージの使用状態を示す側面断面図である。
【図５】  第二の実施形態に係る取付ゲージの使用状態を示す側面断面図である。
【図６】  第三の実施形態に係る取付ゲージの使用状態を示す側面断面図である。
【図７】  第四の実施形態に係る取付ゲージの使用状態を示す側面断面図である。
【符号の説明】
【００５５】  １    地震時ロック装置
２    ボックス本体（フレーム）
３    ロック装置本体
４    開閉扉（ウィング）
５    被掛止部材
２０    取付ゲージ
２１    支持部材（支持部）
２２    縦長部材
２４    上壁部（第二の当接部）
２９    当接板（第一の当接部）
３０    目印ピン（目印部）
３１    ノッチ（目印）
Ｅ    開口縁
Ｓ１    フレームの内面
Ｓ２    ウィングの内面
Ｐ    奥行き位置
Ｑ    高さ位置
【図１】
2006052642.tif 000003
【図２】
2006052642.tif 000004
【図３】
2006052642.tif 000005
【図４】
2006052642.tif 000006
【図５】
2006052642.tif 000007
【図６】
2006052642.tif 000008
【図７】
2006052642.tif 000009